(57)【要約】【課題】  撮影モードごとに適した通知を行うようにして撮影の失敗を未然に防ぐようにする。【解決手段】  動画モードによる撮影及び静止画モードによる撮影が可能な撮像装置であって、動画モードでの動画撮影スタンバイ状態の通知と、動画モードでの動画撮影中の通知と、静止画モードでの静止画スタンバイ状態の通知と、静止画モードでの静止画撮影直前の通知と、静止画モードでの静止画撮影時の通知とをそれぞれ異ならせている。【選択図】  図１
2006050446.tif 000002
【特許請求の範囲】
【請求項１】
複数の撮影モードにより撮影可能な撮像装置であって、
前記撮影モード及び撮影状態ごとに異なる通知を行う通知手段を備えたことを特徴とする撮像装置。
【請求項２】
前記撮影モードは動画モード及び静止画モードであり、前記動画モードで通知を行う通知手段と、前記静止画モードで通知を行う通知手段とを備えることを特徴とする請求項１に記載の撮像装置。
【請求項３】
前記動画モードで通知を行う通知手段は、動画撮影スタンバイ状態を通知する手段を含むことを特徴とする請求項２に記載の撮像装置。
【請求項４】
前記動画モードで通知を行う通知手段は、動画撮影中であることを通知する手段を含むことを特徴とする請求項２又は３に記載の撮像装置。
【請求項５】
前記静止画モードで通知を行う通知手段は、静止画撮影スタンバイ状態を通知する手段を含むことを特徴とする請求項２〜４のいずれか１項に記載の撮像装置。
【請求項６】
前記静止画モードで通知を行う通知手段は、静止画撮影直前であることを通知する手段を含むことを特徴とする請求項２〜５のいずれか１項に記載の撮像装置。
【請求項７】
前記静止画モードで通知を行う通知手段は、静止画撮影時であることを通知する手段を含むことを特徴とする請求項２〜６のいずれか１項に記載の撮像装置。
【請求項８】
前記動画モードで通知を行う通知手段は発光手段であり、動画撮影スタンバイ状態と動画撮影中とで発光色又は発光周期を異ならせることを特徴とする請求項２に記載の撮像装置。
【請求項９】
前記静止画モードで通知を行う通知手段は発音手段であり、静止画撮影スタンバイ状態と静止画撮影直前と静止画撮影時とで音色又は発音周期を異ならせることを特徴とする請求項２に記載の撮像装置。
【請求項１０】
前記動画モードでの動画撮影中に静止画撮影が可能であって、動画撮影中の静止画撮影直前であることを通知する手段と、動画撮影中の静止画撮影時であることを通知する手段とを備えたことを特徴とする請求項２〜９のいずれか１項に記載の撮像装置。
【請求項１１】
動画モードによる撮影及び静止画モードによる撮影が可能な撮像装置であって、
前記動画モードでの動画撮影スタンバイ状態を通知する第１の通知手段と、
前記動画モードでの動画撮影中を通知する第２の通知手段と、
前記静止画モードでの静止画スタンバイ状態を通知する第３の通知手段と、
前記静止画モードでの静止画撮影直前を通知する第４の通知手段と、
前記静止画モードでの静止画撮影時を通知する第５の通知手段とを備え、
前記各通知手段それぞれで異なる通知を行うようにしたことを特徴とする撮像装置。
【請求項１２】
複数の撮影モードにより撮影可能な撮像装置であって、
前記撮影モードは露出制御モード及びオートモードであり、前記露出制御モードで通知を行う通知手段と、前記オートモードで通知を行う通知手段とを備えることを特徴とする撮像装置。
【請求項１３】
複数の撮影モードにより撮影可能な撮像装置であって、
前記撮影モードは複数の露出制御モードであり、各露出制御モードで異なる通知を行う通知手段を備えることを特徴とする撮像装置。
【請求項１４】
複数の撮影モードにより撮影可能な撮像装置による通知方法であって、
前記撮影モード及び撮影状態ごとに異なる通知を行う手順を有することを特徴とする通知方法。
【請求項１５】
動画モードによる撮影及び静止画モードによる撮影が可能な撮像装置による通知方法であって、
前記動画モードでの動画撮影スタンバイ状態であれば第１の通知手段により通知する手順と、
前記動画モードでの動画撮影中であれば第２の通知手段により通知する手順と、
前記静止画モードでの静止画スタンバイ状態であれば第３の通知手段により通知する手順と、
前記静止画モードでの静止画撮影直前であれば第４の通知手段により通知する手順と、
前記静止画モードでの静止画撮影時であれば第５の通知手段により通知する手順とを含むことを特徴とする通知方法。
【請求項１６】
複数の撮影モードにより撮影可能な撮像装置に用いられるコンピュータプログラムであって、
前記撮影モード及び撮影状態ごとに異なる通知を行う処理をコンピュータに実行させることを特徴とするコンピュータプログラム。
【請求項１７】
動画モードによる撮影及び静止画モードによる撮影が可能な撮像装置に用いられるコンピュータプログラムであって、
前記動画モードでの動画撮影スタンバイ状態を第１の通知手段により通知する処理と、
前記動画モードでの動画撮影中を第２の通知手段により通知する処理と、
前記静止画モードでの静止画スタンバイ状態を第３の通知手段により通知する処理と、
前記静止画モードでの静止画撮影直前を第４の通知手段により通知する処理と、
前記静止画モードでの静止画撮影時を第５の通知手段により通知する処理とをコンピュータに実行させることを特徴とするコンピュータプログラム。
【発明の詳細な説明】
【技術分野】
【０００１】
本発明は、複数の撮影モードにより撮影可能な撮像装置、撮像装置による通知方法、撮像装置に用いられるコンピュータプログラムに関する。
【背景技術】
【０００２】
従来、動画像と静止画像とを記録できる撮像装置であるビデオカメラには、動画撮影時（動画撮影中）にはタリーランプ等の発光手段で動画撮影時であることを通知し、静止画撮影時にはシャッター音等の発音手段で静止画撮影時であることを通知するものがあった。
【０００３】
また、特許文献１には、撮影者への撮影開始通知手段としてＬＥＤ発光、ブザー音発音、ストロボ発光のいずれかを行うようにすることが開示されており、距離や明るさに応じて撮影開始通知手段を異ならせている。例えば、被写体までの距離が遠い場合、撮影開始通知手段としてセルフＬＥＤを発光させるとともに、ストロボを短い時間発光させるようにする。
【０００４】
【特許文献１】特開２００３−２８３９１４号公報
【発明の開示】
【発明が解決しようとする課題】
【０００５】
しかしながら、動画撮影のスタンバイ状態や静止画撮影のスタンバイ状態を被写体へ通知することは行われておらず、被写体は動画モードなのか静止画モードなのか判らず、動画モードなのに記念写真のように固まってしまったり、静止画モードなのに動き回ってしまったりと、撮影の失敗につながることがあった。
【０００６】
また、例えばオートモードと露出制御モードとで異なる通知を行ったり、複数の露出制御モードごとに異なる通知を行ったりすることはなされていない。撮影時の周囲環境がいかなる場合においても通知方法が同じであると、例えばスキー場や海辺等の周囲が非常に明るい場合では、赤色タリーランプでの通知では撮影中であることを被写体が認識することは困難であり、また、仮に明るい場面にあわせて発光量が大きい通知方法に変えてしまうと、周囲が比較的暗い状況では、撮影画像に影響を与えてしまうなどの欠点があった。
【０００７】
本発明は上記のような点に鑑みてなされたものであり、撮影モードごとに適した通知を行うようにして撮影の失敗を未然に防ぐようにすることを目的とする。
【課題を解決するための手段】
【０００８】
本発明の撮像装置は、複数の撮影モードにより撮影可能な撮像装置であって、前記撮影モード及び撮影状態ごとに異なる通知を行う通知手段を備えた点に特徴を有する。
また、本発明の他の撮像装置は、動画モードによる撮影及び静止画モードによる撮影が可能な撮像装置であって、前記動画モードでの動画撮影スタンバイ状態を通知する第１の通知手段と、前記動画モードでの動画撮影中を通知する第２の通知手段と、前記静止画モードでの静止画スタンバイ状態を通知する第３の通知手段と、前記静止画モードでの静止画撮影直前を通知する第４の通知手段と、前記静止画モードでの静止画撮影時を通知する第５の通知手段とを備え、前記各通知手段それぞれで異なる通知を行うようにした点に特徴を有する。
また、本発明の撮像装置は、複数の撮影モードにより撮影可能な撮像装置であって、前記撮影モードは露出制御モード及びオートモードであり、前記露出制御モードで通知を行う通知手段と、前記オートモードで通知を行う通知手段とを備える点に特徴を有する。
また、本発明の他の撮像装置は、複数の撮影モードにより撮影可能な撮像装置であって、前記撮影モードは複数の露出制御モードであり、各露出制御モードで異なる通知を行う通知手段を備える点に特徴を有する。
本発明の通知方法は、複数の撮影モードにより撮影可能な撮像装置による通知方法であって、前記撮影モード及び撮影状態ごとに異なる通知を行う手順を有する点に特徴を有する。
また、本発明の他の通知方法は、動画モードによる撮影及び静止画モードによる撮影が可能な撮像装置による通知方法であって、前記動画モードでの動画撮影スタンバイ状態であれば第１の通知手段により通知する手順と、前記動画モードでの動画撮影中であれば第２の通知手段により通知する手順と、前記静止画モードでの静止画スタンバイ状態であれば第３の通知手段により通知する手順と、前記静止画モードでの静止画撮影直前であれば第４の通知手段により通知する手順と、前記静止画モードでの静止画撮影時であれば第５の通知手段により通知する手順とを含む点に特徴を有する。  
本発明のコンピュータプログラムは、複数の撮影モードにより撮影可能な撮像装置に用いられるコンピュータプログラムであって、前記撮影モード及び撮影状態ごとに異なる通知を行う処理をコンピュータに実行させる点に特徴を有する。
また、本発明の他のコンピュータプログラムは、動画モードによる撮影及び静止画モードによる撮影が可能な撮像装置に用いられるコンピュータプログラムであって、前記動画モードでの動画撮影スタンバイ状態を第１の通知手段により通知する処理と、前記動画モードでの動画撮影中を第２の通知手段により通知する処理と、前記静止画モードでの静止画スタンバイ状態を第３の通知手段により通知する処理と、前記静止画モードでの静止画撮影直前を第４の通知手段により通知する処理と、前記静止画モードでの静止画撮影時を第５の通知手段により通知する処理とをコンピュータに実行させる点に特徴を有する。
【発明の効果】
【０００９】
本発明によれば、撮影モードごとに異なる通知を行うようにしたので、撮影モードごとに適した通知を行うことにより、撮影の失敗を未然に防ぐことができる。例えば動画撮影スタンバイ状態、動画撮影中、静止画スタンバイ状態、静止画撮影直前、静止画撮影時をそれぞれ異なる通知方法で通知することにより、被写体は静止画モードなのか動画モードなのかを判断することができ、さらには静止画モードにおける静止画撮影のタイミングを予測することができるので、被写体はそのモードに適した振る舞いを行うことができ、撮影の失敗を防止することができる。また、例えば露出制御モードごとに異なる通知方法で通知することにより、撮影画像に影響を与えることなく、被写体へ確実に撮影を通知することでき、撮影の失敗を防止することができる。
【発明を実施するための最良の形態】
【００１０】
以下、添付図面を参照して、本発明の好適な実施形態について説明する。
（第１の実施形態）
図１は、本発明を適用した第１の実施形態の撮像装置の構成を示す図である。同図において、１１はレンズやＣＣＤ等を含む撮像部である。１２は映像信号処理部であり、動画信号処理を行う動画信号処理部１３と静止画信号処理を行う静止画信号処理部１４とを含む。
【００１１】
１５ａは動画信号を記録する記録媒体であるテープ、１５ｂは静止画信号を記録する記録媒体であるメモリカードである。もちろん、記録媒体はテープ１５ａやメモリカード１５ｂ以外のものでよく、例えば動画データ及び静止画データを同一の記録媒体へ記録するようにしてもよい。
【００１２】
１６は装置全体の動作制御を司る制御部である。１７は操作部であり、動画モードや静止画モードを選択する操作手段や、動画撮影の開始及び停止を指示するトリガーボタンや、フォトボタン等を含む。１８ａは発光手段である赤色タリーランプである。なお、タリーランプ１８ａは撮像部１１の傍等、被写体から発光が認識できる位置に設置される。１８ｂは発音手段であるスピーカである。
【００１３】
動画モードであれば、撮像部１１にて撮影して得られた動画信号は映像信号処理部１２の動画信号処理部１３によって動画記録に最適な輝度や色の調整等が行われ、動画記録に適したフォーマットに変換されて、記録媒体であるテープ１５ａに記録される。また、静止画モードであれば、撮像部１１にて撮影して得られた静止画信号は映像信号処理部１２の静止画信号処理部１４によって静止画記録に最適な輝度や色の調整等が行われ、静止画記録に適したフォーマットに変換されて、記録媒体であるメモリカード１５ｂに記録される。
【００１４】
以下、図２のフローチャートを参照して、第１の実施形態の撮像装置における撮影時の処理動作について説明する。記録モードにおいて、撮影モードが動画モードなのか、静止画モードなのかを判別する（ステップＳ１０１）。
【００１５】
動画モードであれば、動画撮影スタンバイ状態へ移行するとともに（ステップＳ１０２）、タリーランプ１８ａを２回点滅させて、動画モードのスタンバイ状態であることを被写体へ通知する（ステップＳ１０３）。そして、動画撮影開始が実行されたら（ステップＳ１０４）、動画撮影するとともに（ステップＳ１０５）、タリーランプ１８ａを１回点滅させて、動画撮影時（動画撮影中）であることを被写体へ通知する（ステップＳ１０６）。撮影を一時停止して（ステップＳ１０７）、その後撮影を続行する場合は、撮影モード判定処理（ステップＳ１０１）に戻る。
【００１６】
一方、静止画モードであれば、静止画撮影スタンバイ状態へ移行するとともに（ステップＳ１０８）、遅いリズムのチャイム音をスピーカ１８ｂから発音させて、静止画モードのスタンバイ状態であることを被写体へ通知する（ステップＳ１０９）。そして、フォトボタンが半押しされてフォーカス合わせ等の静止画撮影直前となったら（ステップＳ１１０）、速いリズムのチャイム音をスピーカ１８ｂから発音させて、静止画撮影直前であることを被写体へ通知する（ステップＳ１１１）。続いて、フォトボタンが全押しされる静止画撮影時（静止画撮影の瞬間）になったら（ステップＳ１１２）、シャッター音をスピーカ１８ｂから発音させて、静止画撮影時であることを被写体へ通知する（ステップＳ１１３）。その後撮影を続行する場合は、撮影モード判定（ステップＳ１０１）に戻る。なお、フォトボタンの半押し状態がない場合は、ステップＳ１１１の静止画撮影直前の通知（速いリズムのチャイム音）を省略してもよい。
【００１７】
下記の表１に、本実施形態における通知方法をまとめた。通知方法を異ならせることが特徴であり、通知方法は表に示す組み合せ以外でもかまわない。
【００１８】
【表１】
2006050446.tif 000003
【００１９】
以上のように、動画撮影スタンバイ状態、動画撮影時、静止画撮影スタンバイ状態、静止画撮影直前、静止画撮影時でそれぞれ異なる通知を行うようにしたので、被写体がどの撮影モードなのか（静止画モードなのか動画モードなのか）を判断することができ、さらには静止画モードにおける静止画撮影のタイミングを予測することができる。したがって、被写体はそのモードに適した振る舞いを行うことができ、撮影の失敗を防止することができる。
【００２０】
（第２の実施形態）
図３は、本発明を適用した第２の実施形態の撮像装置の構成を示す図である。本実施形態の撮像装置では、動画撮影中に静止画撮影を可能にしたものである。同図において、２１はレンズやＣＣＤ等を含む撮像部である。２２は映像信号処理部であり、動画信号処理を行う動画信号処理部２３と静止画信号処理を行う静止画信号処理部２４とを含む。動画撮影中の静止画撮影を可能とするために、動画信号処理部２３から静止画信号処理部２４に画像信号が供給されるようになっている。
【００２１】
２５ａは動画信号を記録する記録媒体であるテープ、２５ｂは静止画信号を記録する記録媒体であるメモリカードである。もちろん、記録媒体はテープ２５ａやメモリカード２５ｂ以外のものでよく、例えば動画データ及び静止画データを同一の記録媒体へ記録するようにしてもよい。
【００２２】
２６は装置全体の動作制御を司る制御部である。２７は操作部であり、動画モードや静止画モードを選択する操作手段や、動画撮影の開始及び停止を指示するトリガーボタンや、フォトボタン等を含む。２８ａは発光手段である赤色タリーランプである。２８ｂは発音手段であるスピーカである。２８ｃは別の発光手段であるＬＥＤである。なお、タリーランプ２８ａ及びＬＥＤ２８ｃは撮像部２１の傍等、被写体から発光が認識できる位置にそれぞれ設置される。
【００２３】
動画撮影中に静止画撮影を行う場合、動画信号処理部２３から静止画信号処理部２４へ画像信号が供給され、静止画信号処理部２４によって静止画記録に最適な輝度や色の調整等が行われ、静止画記録に適したフォーマットに変換されて、記録媒体であるメモリカード２５ｂに記録される。
【００２４】
以下、図４のフローチャートを参照して、第２の実施形態の撮像装置における撮影時の処理動作について説明する。なお、動画モード、静止画モードそれぞれでの基本的な処理動作は上記第１の実施形態で説明したものと同様であり、同じ処理には同じ符号を付すとともに、その詳細な説明は省略する。
【００２５】
動画撮影時（動画撮影中）にはタリーランプ２８ａを１回点滅させて、動画撮影中であることを被写体へ通知しているが（ステップＳ１０５、Ｓ１０６）、そのときにフォトボタンが半押しされてフォーカス合わせ等の静止画撮影直前となったら（ステップＳ２０１）、ＬＥＤ２８ｃを青色点滅させて、動画撮影中での静止画撮影直前であることを被写体へ通知する（ステップＳ２０２）。続いて、フォトボタンが全押しされる静止画撮影時（静止画撮影の瞬間）になったら（ステップＳ２０３）、ＬＥＤ２８ｃを白色点滅させて、動画撮影中での静止画撮影時であることを被写体へ通知する（ステップＳ２０４）。なお、フォトボタンの半押し状態がない場合は、ステップＳ１１１の静止画撮影直前の通知（速いリズムのチャイム音）及びステップＳ２０２の動画撮影中での静止画撮影直前の通知（ＬＥＤ２８ｃの青色点滅）を省略してもよい。
【００２６】
下記の表２に、本実施形態における通知方法をまとめた。通知方法を異ならせることが特徴であり、通知方法は表に示す組み合せ以外でもかまわない。
【００２７】
【表２】
2006050446.tif 000004
【００２８】
以上のように、動画撮影スタンバイ状態、動画撮影時、静止画撮影スタンバイ状態、静止画撮影直前、静止画撮影時、動画撮影中の静止画撮影直前、動画撮影中の静止画撮影時でそれぞれ異なる通知を行うようにしたので、被写体がどの撮影モードなのか（静止画モードなのか動画モードなのか）を判断することができ、さらには静止画モードにおける静止画撮影のタイミングを予測することができる。したがって、被写体はそのモードに適した振る舞いを行うことができ、撮影の失敗を防止することができる。
【００２９】
また、動画撮影中での静止画撮影時の通知に際しては、発音させるのではなく、ＬＥＤ２８ｃ等の発光手段を用いて、その発光色を異ならせたり、発光周期を異ならせたりすることにより、動画撮影中でも撮影に影響を与えることなく被写体へどのモードなのかを通知することができ、被写体はそのモードに適した振る舞いを行うことができ、撮影の失敗を防止することができる。
【００３０】
（第３の実施形態）
図５は、本発明を適用した第３の実施形態の撮像装置の構成を示す図である。同図において、３１はレンズやＣＣＤ等を含む撮像部である。３２は映像信号処理部であり、動画信号処理を行う動画信号処理部３３を含む。
【００３１】
３５は動画信号を記録する記録媒体であるテープである。もちろん、記録媒体はテープ３５以外のものでもよい。
【００３２】
３６は装置全体の動作制御を司る制御部である。３７は操作部であり、各種撮影モード（サーフ＆スノーモード、ナイトモード、オートモード）選択する操作手段や、動画撮影の開始及び停止を指示するトリガーボタン等を含む。３８ａは発光手段である赤色タリーランプである。３８ｂは別の発光手段であるＬＥＤである。なお、タリーランプ３８ａ及びＬＥＤ３８ｂは撮像部３１の傍等、被写体から発光が認識できる位置に設置される。
【００３３】
撮像部３１にて撮影して得られた動画信号は、映像信号処理部３２の動画信号処理部３３によって動画記録に最適な輝度や色の調整等が行われ、動画記録に適したフォーマットに変換されて、記録媒体であるテープ３５に記録される。
【００３４】
以下、図６のフローチャートを参照して、第３の実施形態の撮像装置における撮影時の処理動作について説明する。記録モードにおいて、撮影モードがサーフ＆スノーモードなのか、ナイトモードなのか、オートモードなのかを判別し（ステップＳ３０１）、その判別された撮影モードに応じて通知方法を決定する（ステップＳ３０２）。下記の表３に、本実施形態における通知方法をまとめた。
【００３５】
【表３】
2006050446.tif 000005
【００３６】
サーフ＆スノーモードは、スキー場や海辺等の非常に明るいシーンにおいても黒つぶれしないように、露出を開き気味に制御する露出制御モードである。非常に明るいシーンであることから、通知方法は、撮影時にのみ、周りが明るくても認識できるＬＥＤ３８ｂの白色点滅を選択している。周りが非常に明るいので、ＬＥＤ３８ｂの白色点滅でも撮影画像に影響を与えない。
【００３７】
ナイトモードは、夜等の周りが暗く、シャッタースピードで露出を制御する露出制御モードである。周りが暗いので、通知方法は、撮影直前にのみ、ＬＥＤ３８ｂの青色点灯を選択している。周りが暗いので、ＬＥＤ３８ｂの青色点灯でも認識でき、また撮影直前にのみ通知を行うので、撮影画像には影響を与えない。
【００３８】
その他はオートモードを含む露出制御を自動で行っているモードであり、通知方法は、撮影中のみ、赤色タリーランプ３８ａの点滅を選択している。
【００３９】
撮影モード判別（ステップＳ３０１）にてサーフ＆スノーモードと判別した場合は、上述したように撮影時のみＬＥＤ３８ｂの白色点滅という通知方法を決定し（ステップＳ３０２）、撮影スタンバイ状態へと移行する（ステップＳ３０３）。次に、トリガーボタンが押されたら（ステップＳ３０４）、撮影を開始するとともに（ステップＳ３０６）、ＬＥＤ３８ｂを白色点滅させて、撮影時（撮影中）であることを通知する（ステップＳ３０７）。次にトリガーボタンが押されたら（ステップＳ３０８）、撮影を停止した後、撮影モードの変更があるか否かを判別し（ステップＳ３０９）、変更がなければ撮影スタンバイ状態（ステップＳ３０３）へ戻り、変更があれば撮影モード判別（ステップＳ３０１）へ戻る。
【００４０】
また、撮影モード判別（ステップＳ３０１）にてナイトモードと判別した場合は、上述したように撮影直前のみＬＥＤ３８ｂの青色点灯という通知方法を決定し（ステップＳ３０２）、撮影スタンバイ状態へと移行する（ステップＳ３０３）。次に、トリガーボタンが押されたら（ステップＳ３０４）、ＬＥＤ３８ｂを青色点灯させて、撮影直前であることを通知し（ステップＳ３０５）、撮影を開始する（ステップＳ３０６）。次にトリガーボタンが押されたら（ステップＳ３０８）、撮影を停止した後、撮影モードの変更があるか否かを判別し（ステップＳ３０９）、変更がなければ撮影スタンバイ状態（ステップＳ３０３）へ戻り、変更があれば撮影モード判別（ステップＳ３０１）へ戻る。
【００４１】
また、撮影モード判別（ステップＳ３０１）にてその他のモードと判別した場合は、上述したように撮影時のみ赤色タリーランプ３８ａの点滅という通知方法を決定し（ステップＳ３０２）、撮影スタンバイ状態へと移行する（ステップＳ３０３）。次に、トリガーボタンが押されたら（ステップＳ３０４）、撮影を開始するとともに（ステップＳ３０６）)、赤色タリーランプ３８ａを点滅させて、撮影時（撮影中）であることを通知する（ステップＳ３０７）。次にトリガーボタンが押されたら（ステップＳ３０８）、撮影を停止した後、撮影モードの変更があるか否かを判別し（ステップＳ３０９）、変更がなければ撮影スタンバイ状態（ステップＳ３０３）へ戻り、変更があれば撮影モード判別（ステップＳ３０１）へ戻る。
【００４２】
なお、表３にまとめた通知方法以外であって、各撮影モードでの撮影に影響を与えない通知方法であれば、これ以外の組み合せであってもかまわない。
【００４３】
以上のように、露出制御モードごとにそれぞれ適した通知を行うようにしたので、撮影画像に影響を与えることなく、被写体へ確実に撮影を通知することでき、撮影の失敗を防止することができる。
【００４４】
（第４の実施形態）
図７は、本発明を適用した第４の実施形態の撮像装置の構成を示す図である。本実施形態の撮像装置では、撮影スタンバイ状態にも通知を行うようにしたものである。同図において、４１はレンズやＣＣＤ等を含む撮像部である。４２は映像信号処理部であり、動画信号処理を行う動画信号処理部４３を含む。
【００４５】
４５は動画信号を記録する記録媒体であるテープである。もちろん、記録媒体はテープ４５以外のものでもよい。
【００４６】
４６は装置全体の動作制御を司る制御部である。４７は操作部であり、各種撮影モード（サーフ＆スノーモード、ナイトモード、オートモード）選択する操作手段や、動画撮影の開始及び停止を指示するトリガーボタン等を含む。４８ａは発光手段である赤色タリーランプである。４８ｂは別の発光手段であるＬＥＤである。４８ｃは発音手段であるスピーカである。なお、タリーランプ４８ａ及びＬＥＤ４８ｂは撮像部４１の傍等、被写体から発光が認識できる位置に設置される。
【００４７】
以下、図８のフローチャートを参照して、第４の実施形態の撮像装置における撮影時の処理動作について説明する。なお、なお、上記第３の実施形態で説明したステップと同じ処理には同じ符号を付すとともに、その詳細な説明は省略する。記録モードにおいて、撮影モードがサーフ＆スノーモードなのか、ナイトモードなのか、オートモードなのかを判別し（ステップＳ３０１）、その判別された撮影モードに応じて通知方法を決定する（ステップＳ３０２）。下記の表４に、本実施形態における通知方法をまとめた。
【００４８】
【表４】
2006050446.tif 000006
【００４９】
サーフ＆スノーモード及びその他のモードは、第３の実施形態で述べたものと同様である。
【００５０】
ナイトモードは、夜等の周りが暗く、シャッタースピードで露出を制御する露出制御モードである。周りが暗いので、通知方法は、撮影スタンバイ状態にＬＥＤ４８ｂの青色点灯で、撮影直前にスピーカ４８ｃによるチャイム音を選択している。周りが暗いので、ＬＥＤ３８ｂの青色点灯でも認識でき、また撮影開始前に通知を行うので、撮影画像には影響を与えない。また、撮影直前にチャイム音で通知をするので、撮影スタンバイ状態から電源オフしてＬＥＤ４８ｂが消灯したのか、撮影が開始されてＬＥＤ４８ｂが消灯したのかを判断することができる。
【００５１】
撮影モード判別（ステップＳ３０１）にてサーフ＆スノーモードと判別した場合は、上述したように撮影時のみＬＥＤ４８ｂの白色点滅という通知方法を決定し（ステップＳ３０２）、撮影スタンバイ状態へと移行する（ステップＳ３０３）。次に、トリガーボタンが押されたら（ステップＳ３０４）、撮影を開始するとともに（ステップＳ３０６）、ＬＥＤ４８ｂを白色点滅させて、撮影時（撮影中）であることを通知する（ステップＳ３０７）。次にトリガーボタンが押されたら（ステップＳ３０８）、撮影を停止した後、撮影モードの変更があるか否かを判別し（ステップＳ３０９）、変更がなければ撮影スタンバイ状態（ステップＳ３０３）へ戻り、変更があれば撮影モード判別（ステップＳ３０１）へ戻る。
【００５２】
また、撮影モード判別（ステップＳ３０１）にてナイトモードと判別した場合は、上述したように撮影スタンバイ状態にＬＥＤ４８ｂを青色点灯、撮影直前にチャイム音の発音という通知方法を決定し（ステップＳ３０２）、撮影スタンバイ状態へと移行し（ステップＳ３０２）、チャイム音を発音させて、撮影スタンバイ状態であることを通知する（ステップＳ４０１）。次に、トリガーボタンが押されたら（ステップＳ３０４）、スピーカ４８ｃによりチャイム音を発音させて、撮影直前であることを通知し（ステップＳ３０５）、撮影を開始する（ステップＳ３０６）。次にトリガーボタンが押されたら（ステップＳ３０８）、撮影を停止した後、撮影モードの変更があるか否かを判別し（ステップＳ３０９）、変更がなければ撮影スタンバイ状態（ステップＳ３０３）へ戻り、変更があれば撮影モード判別（ステップＳ３０１）へ戻る。
【００５３】
また、撮影モード判別（ステップＳ３０１）にてその他のモードと判別した場合は、上述したように撮影時のみ赤色タリーランプ４８ａの点滅という通知方法を決定し（ステップＳ３０２）、撮影スタンバイ状態へと移行する（ステップＳ３０３）。次に、トリガーボタンが押されたら（ステップＳ３０４）、撮影を開始するとともに（ステップＳ３０６）)、赤色タリーランプ４８ａを点滅させて、撮影時（撮影中）であることを通知する（ステップＳ３０７）。次にトリガーボタンが押されたら（ステップＳ３０８）、撮影を停止した後、撮影モードの変更があるか否かを判別し（ステップＳ３０９）、変更がなければ撮影スタンバイ状態（ステップＳ３０３）へ戻り、変更があれば撮影モード判別（ステップＳ３０１）へ戻る。
【００５４】
なお、表４にまとめた通知方法以外であって、各撮影モードでの撮影に影響を与えない通知方法であれば、これ以外の組み合せであってもかまわない。
【００５５】
以上のように、露出制御モードごとにそれぞれ適した通知を行うようにしたので、撮影画像に影響を与えることなく、被写体へ確実に撮影を通知することでき、撮影の失敗を防止することができる。
【００５６】
なお、上記第３、４の実施形態では動画撮影を行う例を説明したが、静止画撮影を行う場合も同様である。
【００５７】
本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることはいうまでもない。
【００５８】
この場合、記憶媒体から読み出されたプログラムコード自体が上述した実施形態の機能を実現することになり、プログラムコード自体及びそのプログラムコードを記憶した記憶媒体は本発明を構成することになる。
【００５９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６０】
また、コンピュータが読み出したプログラムコードを実行することにより、上述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって上述した実施形態の機能が実現される場合も含まれることは言うまでもない。
【００６１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００６２】
【図１】第１の実施形態の撮像装置の構成を示す図である。
【図２】第１の実施形態の撮像装置における撮影時の処理動作について説明するためのフローチャートである。
【図３】第２の実施形態の撮像装置の構成を示す図である。
【図４】第２の実施形態の撮像装置における撮影時の処理動作について説明するためのフローチャートである。
【図５】第３の実施形態の撮像装置の構成を示す図である。
【図６】第３の実施形態の撮像装置における撮影時の処理動作について説明するためのフローチャートである。
【図７】第４の実施形態の撮像装置の構成を示す図である。
【図８】第４の実施形態の撮像装置における撮影時の処理動作について説明するためのフローチャートである。
【符号の説明】
【００６３】
１１、２１、３１、４１          撮像部
１２、２２、３２、４２          画像信号処理部
１３、２３、３３、４３          動画信号処理部
１４、２４                      静止画信号処理部
１５ａ、２５ａ、３５、４５      テープ
１５ｂ、２５ｂ                  メモリカード
１６、２６、３６、４６          制御部
１７、２７、３７、４７          操作部
１８ａ、２８ａ、３８ａ、４８ａ  赤色タリーランプ
１８ｂ、２８ｂ、４８ｃ          スピーカ
２８ｃ、３８ｂ、４８ｂ          ＬＥＤ
【図１】
2006050446.tif 000007
【図２】
2006050446.tif 000008
【図３】
2006050446.tif 000009
【図４】
2006050446.tif 000010
【図５】
2006050446.tif 000011
【図６】
2006050446.tif 000012
【図７】
2006050446.tif 000013
【図８】
2006050446.tif 000014